(57)【要約】【課題】スケジュール管理や住所録データ管理を行う携帯情報端末において、現在位置情報を利用し、その利便性を高めること。【解決手段】通知すべきスケジュールが発生すると、位置取得装置１１８より現在位置情報を取得し、当該現在位置情報の対応する場所情報を記憶装置１１１の地図データを参照して取得し、当該場所情報における通知方法を通知方法選択テーブルより判断し、音声出力装置１１４、出力画面表示装置１１５、振動装置１１６を選択して通知を行うように制御する構成とした。【選択図】　図１
2004070391.tif 000002
【特許請求の範囲】
【請求項１】
スケジュールデータを指定時刻に利用者に通知する携帯情報端末であって、
複数の方法により利用者に通知可能な通知手段と、
現在位置情報を取得する位置取得手段と、
場所情報を含む地図データを記憶した地図記憶手段と、
前記地図データに含まれる場所情報と前記通知手段の通知方法とを対応させて記憶した通知方法選択テーブルと、
通知すべきスケジュールが発生すると、前記位置取得手段より現在位置情報を取得し、前記地図記憶手段の地図データを参照して現在位置情報に対応する場所情報に変換し、当該場所情報における通知方法を前記通方法選択テーブルより判断し、当該通知方法によって前記通知手段による通知を行うように制御する制御手段と、を有することを特徴とする携帯情報端末。
【請求項２】
スケジュールデータを登録した携帯情報端末であって、
現在位置情報を取得する位置取得手段と、
場所情報を含む地図データを記憶した地図記憶手段と、
利用者からの指示する指示手段と、
前記指示手段のスケジュールに対する完了指示により、前記位置取得手段より現在位置情報を取得し、完了したスケジュール項目に対して当該位置情報を対応付けて記憶する記憶手段と、
前記指示手段より完了したスケジュール項目の呼び出し指示があると、当該スケジュール項目に対応付けられた位置情報を前記記憶手段より読み出し、前記地図記憶手段の地図データを参照して場所情報に変換し、完了したスケジュールデータの完了場所を表示させる制御手段と、を有することを特徴とする携帯情報端末。
【請求項３】
スケジュールデータとしてスケジュール項目と、当該スケジュール項目の実行場所を対応させて記憶し、取得する現在位置情報に基づいて実行場所に到達したことを判断すると、利用者にスケジュール項目の通知を行う携帯情報端末であって、
電話番号に対応する位置情報を記憶した電話番号−位置情報変換テーブルと、
スケジュール登録時、スケジュール項目に対応する位置情報の入力として電話番号が入力されると、前記電話番号−位置情報変換テーブルを参照して位置情報に変換し、得られた位置情報をスケジュール項目と対応付けて記憶させる制御手段と、を有することを特徴とする携帯情報端末。
【請求項４】
住所録データを登録可能な携帯情報端末であって、
データを入力する入力手段と、
現在位置情報を取得する位置取得手段と、
位置情報と住所情報を対応付けて記憶した位置−住所対応テーブルと、
作成された住所録データを記憶する住所録記憶手段と、
前記入力手段より登録対象の名称が入力されると、前記位置取得手段より現在位置情報を取得し、当該位置情報を前記位置−住所対応テーブルを参照して住所情報に変換し、当該住所情報を前記入力された名称情報と対応付けて住所録データとして前記住所録記憶手段に記憶させる制御手段と、を有することを特徴とする携帯情報端末。
【請求項５】
位置情報と電話番号情報とを対応付けた位置−電話番号対応テーブルを有し、前記制御手段は、得られた位置情報から位置−電話番号対応テーブルを参照して電話番号情報を所得し、名称情報、住所情報、電話番号情報を対応付けて住所録データとして前記住所録記憶手段に記憶させる、ことを特徴とする請求項４記載の携帯情報端末。
【発明の詳細な説明】
【０００１】
【発明の属する技術分野】
本発明は、現在位置情報を利用してスケジュール管理や住所録管理を行う携帯情報端末に関するものである。
【０００２】
【従来の技術】
従来、位置情報取得手段を備え、利用者のスケジュールを管理する手段を持った携帯情報端末としては、例えば特開平０９−１１３５９９号公報に記載されている。
【０００３】
図９に従来の携帯情報端末の構成図を示す。図９において、ＧＰＳ（グローバル・ポジショニング・システム）のように、人工衛星１０を用いて経度、緯度、高度を取得し、それによって得られる現在位置を用いて、中央演算処理装置１３により予め入力装置１２より記録装置１１に記録しておいた位置―行動予定データの位置との一致／不一致処理を行い、一致の場合には音声出力装置１４、出力表示装置１５を用いて利用者に対して行動すべき用件があることを通知するというようなものであった。
【０００４】
【発明が解決しようとする課題】
しかしながら、上記携帯情報端末においては、登録されたスケジュールデータを利用者に対して音声出力装置１４、出力表示装置１５を用いて通知を行うようにしているが、これらの通知手段は、予め設定されたものを使用するものであり、映画館や図書館等、音声による通知が不適切な場所であっても、設定が音声出力である場合には、操作者が設定を変更しておかなければ音声通知が発生するという問題点があった。
【０００５】
また、スケジュールに従って目的の場所にて予定行動が完了したとき、登録されている予定行動リストに完了の登録を行って、行動すべき予定項目から既行動項目に移行させても、場所を登録することができず、行った行動がどこで完了したものか不明であった。例えば、予定行動を「郵便局にて切手を購入」としておいて、利用者が郵便局にて切手を購入し、当該予定行動を完了行動項目として処理しても、後日利用者が何処の郵便局にて購入したかが不明であると言う問題点があった。
【０００６】
また、位置によるスケジュール管理や、住所録データの登録管理を行うような場合、利用者は、その位置データ（座標データ）を入力装置にて入力しなければならないが、従来では、住所データを入力し位置データに変換を行うことが一般的であった。しかしながら住所データでの入力では、漢字表記の住所入力のためにローマ字→ひらがな→漢字変換のいくつかのステップを踏む必要があり入力に手間がかかるという問題点があった。
【０００７】
本発明は、スケジュール管理や住所録データ管理を行う携帯情報端末において、現在位置情報を利用し、その利便性を高めることを目的としている。
【０００８】
【課題を解決するための手段】
この課題を解決するために本発明は、スケジュールデータを指定時刻に利用者に通知する携帯情報端末であって、複数の方法により利用者に通知可能な通知手段と、現在位置情報を取得する位置取得手段と、場所情報を含む地図データを記憶した地図記憶手段と、地図データに含まれる場所情報と通知手段の通知方法とを対応させて記憶した通知方法選択テーブルと、通知すべきスケジュールが発生すると、位置取得手段より現在位置情報を取得し、当該現在位置情報の対応する場所情報を地図記憶手段の地図データを参照して取得し、当該場所情報における通知方法を通方法選択テーブルより判断し、当該通知方法によって通知手段による通知を行うように制御する制御手段と、を有する構成とした。
【０００９】
これにより、指定時刻にスケジュールを利用者に通知する携帯情報端末において、その利便性を高めることができる。
【００１０】
【発明の実施の形態】
本願の請求項１に係る発明は、スケジュールデータを指定時刻に利用者に通知する携帯情報端末であって、複数の方法により利用者に通知可能な通知手段と、現在位置情報を取得する位置取得手段と、場所情報を含む地図データを記憶した地図記憶手段と、地図データに含まれる場所情報と通知手段の通知方法とを対応させて記憶した通知方法選択テーブルと、通知すべきスケジュールが発生すると、位置取得手段より現在位置情報を取得し、当該現在位置情報の対応する場所情報を地図記憶手段の地図データを参照して取得し、当該場所情報における通知方法を通方法選択テーブルより判断し、当該通知方法によって通知手段による通知を行うように制御する制御手段と、を有する構成としたことにより、利用者の存在する場所に応じて通知方法を切り替え可能とすることができる。
【００１１】
本願の請求項２に係る発明は、スケジュールデータを登録した携帯情報端末であって、現在位置情報を取得する位置取得手段と、場所情報を含む地図データを記憶した地図記憶手段と、利用者からの指示する指示手段と、指示手段のスケジュールに対する完了指示により、位置取得手段より現在位置情報を取得し、完了したスケジュール項目に対して当該位置情報を対応付けて記憶する記憶手段と、指示手段より完了したスケジュール項目の呼び出し指示があると、当該スケジュール項目に対応付けられた位置情報を記憶手段より読み出し、地図記憶手段の地図データを参照して場所情報に変換し、完了したスケジュールデータの完了場所を表示させる制御手段と、を有する構成としたことにより、実行場所を用意に登録することができる。
【００１２】
本願の請求項３に係る発明は、スケジュールデータとしてスケジュール項目と、当該スケジュール項目の実行場所を対応させて記憶し、取得する現在位置情報に基づいて実行場所に到達したことを判断すると、利用者にスケジュール項目の通知を行う携帯情報端末であって、電話番号に対応する位置情報を記憶した電話番号−位置情報変換テーブルと、スケジュール登録時、スケジュール項目に対応する位置情報の入力として電話番号が入力されると、電話番号−位置情報変換テーブルを参照して位置情報に変換し、得られた位置情報をスケジュール項目と対応付けて記憶させる制御手段と、を有する、という構成としたことにより、実行場所の入力に当たって電話番号を入力し位置情報に変換することができる。
【００１３】
本願の請求項４に係る発明は、住所録データを登録可能な携帯情報端末であって、データを入力する入力手段と、現在位置情報を取得する位置取得手段と、位置情報と住所情報を対応付けて記憶した位置−住所対応テーブルと、作成された住所録データを記憶する住所録記憶手段と、入力手段より登録対象の名称が入力されると、位置取得手段より現在位置情報を取得し、当該位置情報を前記位置−住所対応テーブルを参照して住所情報に変換し、当該住所情報を前記入力された名称情報と対応付けて住所録データとして住所録記憶手段に記憶させる制御手段と、を有する構成としたことにより、住所禄データの登録に当たって利用者が住所情報を入力する手間が省ける。
【００１４】
本願の請求項５に記載の発明は、請求項４に係る発明において、位置情報と電話番号情報とを対応付けた位置−電話番号対応テーブルを有し、制御手段は、得られた位置情報から位置−電話番号対応テーブルを参照して電話番号情報を所得し、名称情報、住所情報、電話番号情報を対応付けて住所録データとして住所録記憶手段に記憶させる、構成としたことにより、住所禄データの登録に当たって利用者が電話番号情報を入力する手間が省ける。
【００１５】
以下に、本発明の各実施の形態について、図１乃至図８を用いて説明する。
【００１６】
（実施の形態１）
本発明の実施の形態１について説明する。
【００１７】
図１は、本発明の実施の形態１における携帯情報端末の構成図である。
【００１８】
図１において、１１８は、ＧＰＳ衛星１１０からの電波を基に端末の現在位置を取得する位置取得装置である。１１７は、現在時間を発信する時計装置である。１１２は、利用者がスケジュールを入力するキーボードタイプ等の入力装置である。１１４は、音声による出力を行う音声出力装置である。１１５は画面表示を行う出力画面表示装置である。１１６は、装置を振動させる振動装置である。
【００１９】
なお、音声出力装置１１４、出力画面表示装置１１５、振動装置１１６は本発明の通知手段を構成するものである。
【００２０】
１１１は、スケジュール処理プログラム１１９、場所情報を含む地図データ、通知時刻と対応したスケジュールデータを記憶する記憶装置であり、さらに、記憶装置１１１は、地図データに含まれる場所情報と、当該場所情報における通知手段（音声出力装置１１４、出力画面表示装置１１５、振動装置１１６）とを対応させた通知方法選択テーブルを記憶している。１１３は、スケジュール処理プログラム１１９を実行する央演算処理装置である。
【００２１】
以上のように構成された携帯情報端末について、以下にその動作を説明する。
【００２２】
図２は、本発明の実施の形態１における携帯情報端末の動作フローチャートであり、スケジュール処理プログラム１１９に含まれる通知手段選択動作を説明するものである。
【００２３】
図２において、まず、時計装置１１７より現時刻の取得を行う（ステップ３０１）と、記録装置１１１に記憶されているスケジュールデータの検索を行い（ステップ３０２）、現時刻に利用者に通知すべきスケジュールデータが有るか否かを評価する（ステップ３０３）。
【００２４】
通知すべきスケジュールデータが有れば、続いて位置取得装置１１８から現在位置取得を行う（ステップ３０４）。そして得られた現在位置データ（座標データ）から記録装置１１１の地図データと比較を行い場所情報に変換を行う（ステップ３０５）。
【００２５】
場所データが得られると、記憶装置１１１に記憶されている通知方法選択テーブルを参照して通知手段を選択し（ステップ３０６）、選択した通知手段によって利用者へのスケジュール通知を行う（ステップ３０７）。
【００２６】
図３は、本発明の実施の形態１における通知方法選択テーブルを示す図であり、例えば、「映画館」や「図書館」といった場所では振動や表示出力による通知方法が選択されている。通知方法選択テーブルは、予め利用者が場所に応じて選択可能とする構成でも良い。
【００２７】
以上のように本実施の形態によれば、スケジュール通知時の場所に応じて、利用者がその都度選択することなく通知方法を切り替えることができるようになる。
【００２８】
（実施の形態２）
本発明の実施の形態２について説明する。本実施の形態は、登録されているスケジュールを利用者が完了すると、完了記録と共に場所情報を登録するものである。なお構成については図１を参照する。
【００２９】
図４は、本発明の実施の形態２における携帯情報端末の動作フローチャートであり、スケジュール処理プログラム１１９に含まれる処理動作を説明するものである。
【００３０】
図４に示すように、予め登録しておいた「切手を購入」等のスケジュールについて、行動が完了すると、利用者は行動を完了した場所にて入力装置１１２より完了したことを示す旨を入力し、行動の完了が行われる（ステップ５０１）。図５は、本発明の行動予定完了入力画面の表示例で有り、記憶装置１１１のスケジュールデータは、予定行動に対応して完了／非完了の予定完了データを有している。
【００３１】
ある行動について完了指示が入力されると、位置取得装置１１８より現在位置情報を取得する（ステップ５０２）。取得された位置情報（座標データ）は、予定完了データと関連付けられて記憶装置１１１に記録される（ステップ５０３）。
【００３２】
入力装置１１２より利用者が完了した行動の表示呼び出しを指示すると（ステップ５０４）、指示された完了行動に関連づけられた位置を地図データ上の場所情報に変換し（ステップ５０５）、変換された場所情報と上記指示された行動完了データを出力画面表示装置１１５に表示させる。
【００３３】
なお、場所情報を表示するのではなく、地図上に完了位置を示すマーク表示を行うような形式であっても良い。
【００３４】
以上のように本実施の形態によれば、あるスケジュール項目が完了した時点で位置情報を取得し、完了した項目と関連付けて保存しておき、後で完了項目を呼び出した際、完了場所の情報も併せて呼び出される。
【００３５】
（実施の形態３）
実施の形態３について説明する。
【００３６】
本実施の形態の構成は、実施の形態１の構成である図１を参照するが、実施の形態１に加え記憶装置１１１には、固定電話番号−位置データ変換テーブルが格納されているものとする。
【００３７】
本実施の形態における携帯端末装置は、記憶装置１１１に記憶されるスケジュールデータとして、スケジュール項目と当該スケジュールの実行場所が対応付けられ、位置取得手段１１８より取得する位置情報によりスケジュール実行場所に到達した場合に利用者に通知する構成である。
【００３８】
図６は、本発明の実施の形態３における携帯情報端末の動作フローチャートであり、スケジュール処理プログラム１１９に含まれる処理動作を説明するものである。
【００３９】
図６に示すように、利用者は、入力装置１１２よりスケジュール項目を入力し（ステップ７０１）、続いて実行場所の入力を行う（ステップ７０２）。ステップ７０２では、実行場所の入力として当該実行場所の固定電話の番号を入力する。
【００４０】
入力された電話番号は記憶装置１１１に格納されている固定電話番号−位置データ変換テーブルから検索を行い位置情報に変換し（ステップ７０３）、記憶装置１１１のスケジュールデータとしてスケジュール項目に対応付けて記憶させる（ステップ７０４）。
【００４１】
スケジュールデータの登録を終えると、位置取得装置１０８より定期的に現在位置情報取得を行い、取得された現在位置情報に一致する位置情報を有するスケジュール項目が存在するか否かを判定する（ステップ７０６）。
【００４２】
一致したものが得られれば、一致したスケジュール項目を利用者に通知手段により通知する（ステップ７０７）。
【００４３】
以上のように本実施の形態によれば、スケジュール項目と実行場所とを対応して保持しておき、当該実行場所達したとき利用者にスケジュール項目を通知する携帯情報端末において、実行場所の入力に当たって電話番号を入力し位置情報に変換することができる。
【００４４】
（実施の形態４）
実施の形態４について説明する。
【００４５】
本実施の形態の携帯情報端末の構成は図１を参照し、記憶装置１１１には、居住者名称と住所情報の登録、呼び出し表示が可能な住所録処理プログラム、位置情報と住所情報を対応付けた位置−住所対応テーブルが格納されている。
【００４６】
図７は、本発明の実施の形態４における携帯情報端末の動作フローチャートであり、住所録処理プログラムによる制御を示すものである。
【００４７】
図７に示すように、利用者は、住所録データの登録に際して、その住所に存在する名称の入力を行う（ステップ１００１）。この名称としては、ビル等の建物の名称やその住所居住者の氏名等が挙げられる。
【００４８】
名称が入力されると、利用者に現在その位置にいるかの確認を行うために現在位置データ入力選択の表示を行い（ステップ１００２）、利用者に入力した名称の場所が現在位置で有るか否かを選択させる（ステップ１００３）。選択の入力は入力装置１１２であるキーボード等の入力デバイスから行う。
【００４９】
否の場合、入力装置１１２から利用者によって直接的に入力される住所情報の入力を待ち（ステップ１００８）、入力されるとステップ１００６へ進む。
【００５０】
有りの場合、位置取得装置１１８より現在位置の取得を行う（ステップ１００４）。取得された位置情報は記憶装置１１１に格納された位置−住所対応テーブルを基に住所情報に変換され（ステップ１００５）、先に入力された名称情報と組み合わせて（ステップ１００６）、住所録データとして登録（記憶装置１１１に格納）させる（ステップ１００７）。
【００５１】
以上のように本実施の形態によれば、利用者は登録対象場所において住所録データを作成するとき、名称を入力するだけで現在位置情報に基づいて住所情報と組み合わせることができ、携帯情報端末における住所録データの作成効率が向上する。
【００５２】
（実施の形態５）
本発明の実施の形態５について説明する。
【００５３】
本実施の形態の構成としては図１を参照し、記憶装置１１１には、居住者名称と住所と固定電話番号の登録、呼び出し表示が可能な住所録処理プログラム、位置情報と固定電話番号とを対応付けた位置−電話番号対応テーブル、位置情報と住所情報とを対応付けた位置−住所対応テーブルが格納されている。
【００５４】
図８は、本発明の実施の形態５における携帯情報端末の動作フローチャートであり、住所録処理プログラムによる制御を示すものである。
【００５５】
図８において、利用者は、住所録データの登録に際して、その住所に存在する名称の入力を行う（ステップ１１０１）。この名称としては、ビル等の建物の名称やその住所居住者の氏名等が挙げられる。
【００５６】
名称が入力されると、利用者に現在その位置にいるかの確認を行うために現在位置データ入力選択の表示を行い（ステップ１１０２）、利用者に入力した名称の場所が現在位置で有るか否かを選択させる（ステップ１１０３）。選択の入力は入力装置１１２であるキーボード等の入力デバイスから行う。
【００５７】
否の場合、入力装置１１２から利用者によって直接的に入力される住所情報の入力を待ち（ステップ１１０９）、入力されるとステップ１００７へ進む。
【００５８】
有りの場合、位置取得装置１１８より現在位置情報の取得を行う（ステップ１１０４）。取得された位置情報は記憶装置１１１に格納された位置−住所対応テーブルを基に住所情報を導く（ステップ１１０５）。さらに、記憶装置１１１に格納された位置−電話番号対応テーブルから電話番号を導き（ステップ１１０６）、先に入力しておいた名称情報と、ステップ１１０５で得られた住所情報、ステップ１１０７で得られた電話番号とを組み合わせて（ステップ１１０７）、住所録データとして登録（記憶装置１１１に格納）させる（ステップ１１０８）
以上のように本実施の形態によれば、実施の形態４に加え、位置情報より電話番号も取得でき、携帯情報端末における住所録データの作成効率が向上する。
【００５９】
なお、実施の形態１〜５においてプロセッサにより実行される各種プログラムは、装置内部のメモリに記憶されたものであっても良いし、コンピュータ読み取り可能な記録媒体に記憶されたものであっても良い。さらに、通信ネットワークより取得するものであっても良い。
【００６０】
【発明の効果】
以上のように本発明によれば、スケジュールデータを指定時刻に利用者に通知する携帯情報端末であって、複数の方法により利用者に通知可能な通知手段と、現在位置情報を取得する位置取得手段と、場所情報を含む地図データを記憶した地図記憶手段と、地図データに含まれる場所情報と通知手段の通知方法とを対応させて記憶した通知方法選択テーブルと、通知すべきスケジュールが発生すると、位置取得手段より現在位置情報を取得し、当該現在位置情報の対応する場所情報を地図記憶手段の地図データを参照して取得し、当該場所情報における通知方法を通方法選択テーブルより判断し、当該通知方法によって通知手段による通知を行うように制御する制御手段と、を有する構成としたことにより、利用者の存在する場所に応じて通知方法を切り替え可能とすることができ、利用者の操作負担が軽減される。
【００６１】
また、スケジュールデータを登録した携帯情報端末であって、現在位置情報を取得する位置取得手段と、場所情報を含む地図データを記憶した地図記憶手段と、利用者からの指示する指示手段と、指示手段のスケジュールに対する完了指示により、位置取得手段より現在位置情報を取得し、完了したスケジュール項目に対して当該位置情報を対応付けて記憶する記憶手段と、指示手段より完了したスケジュール項目の呼び出し指示があると、当該スケジュール項目に対応付けられた位置情報を記憶手段より読み出し、地図記憶手段の地図データを参照して場所情報に変換し、完了したスケジュールデータの完了場所を表示させる制御手段と、を有する構成としたことにより、実行場所を用意に登録することができ、何処でその行為が完了したかを後日特定することができる。
【００６２】
また、スケジュールデータとしてスケジュール項目と、当該スケジュール項目の実行場所を対応させて記憶し、取得する現在位置情報に基づいて実行場所に到達したことを判断すると、利用者にスケジュール項目の通知を行う携帯情報端末であって、電話番号に対応する位置情報を記憶した電話番号−位置情報変換テーブルと、スケジュール登録時、スケジュール項目に対応する位置情報の入力として電話番号が入力されると、電話番号−位置情報変換テーブルを参照して位置情報に変換し、得られた位置情報をスケジュール項目と対応付けて記憶させる制御手段と、を有する、という構成としたことにより、実行場所の入力に当たって電話番号を入力し位置情報に変換することができ、利用者の操作負担が軽減される。
【００６３】
また、住所録データを登録可能な携帯情報端末であって、データを入力する入力手段と、現在位置情報を取得する位置取得手段と、位置情報と住所情報を対応付けて記憶した位置−住所対応テーブルと、作成された住所録データを記憶する住所録記憶手段と、入力手段より登録対象の名称が入力されると、位置取得手段より現在位置情報を取得し、当該位置情報を前記位置−住所対応テーブルを参照して住所情報に変換し、当該住所情報を前記入力された名称情報と対応付けて住所録データとして住所録記憶手段に記憶させる制御手段と、を有する構成としたことにより、住所禄データの登録に当たって利用者が住所情報を入力する手間が省け、利用者の操作負担が軽減される。
【００６４】
さらに、位置情報と電話番号情報とを対応付けた位置−電話番号対応テーブルを有し、制御手段は、得られた位置情報から位置−電話番号対応テーブルを参照して電話番号情報を所得し、名称情報、住所情報、電話番号情報を対応付けて住所録データとして住所録記憶手段に記憶させる、構成としたことにより、住所禄データの登録に当たって利用者が電話番号情報を入力する手間が省け、利用者の操作負担が軽減される。
【図面の簡単な説明】
【図１】本発明の実施の形態１における携帯情報端末の構成図
【図２】本発明の実施の形態１における携帯情報端末の動作フローチャート
【図３】本発明の実施の形態１における通知方法選択テーブルを示す図
【図４】本発明の実施の形態２における携帯情報端末の動作フローチャート
【図５】本発明の実施の形態２における行動予定完了入力画面を示す図
【図６】本発明の実施の形態３における携帯情報端末の動作フローチャート
【図７】本発明の実施の形態４における携帯情報端末の動作フローチャート
【図８】本発明の実施の形態５における携帯情報端末の動作フローチャート
【図９】従来の携帯情報端末の構成図
【符号の説明】
１１１　記憶装置
１１２　入力装置
１１３　中央演算処理装置
１１４　音声出力装置
１１５　出力画面表示装置
１１６　振動装置
１１７　時計装置
１１８　位置取得装置
【図１】
2004070391.tif 000003
【図２】
2004070391.tif 000004
【図３】
2004070391.tif 000005
【図４】
2004070391.tif 000006
【図５】
2004070391.tif 000007
【図６】
2004070391.tif 000008
【図７】
2004070391.tif 000009
【図８】
2004070391.tif 000010
【図９】
2004070391.tif 000011